(57)【要約】【課題】サブ表示部とメイン表示部の表示内容を連動させ、サブ表示部をより有効に活用することが可能となる携帯電話機を提供する。【解決手段】メイン表示部１２に表示を行なう機能と、サブ表示部１３に表示を行なう機能とに同一の機能を選択することで、メイン表示部１２とサブ表示部１３の表示内容を常に連動させることができる。従って、メイン表示部１２で表示している機能がサブ表示部１３を利用することが可能となり、携帯電話機の開閉状態に関わらず、サブ表示部１３を有効に活用することができる。【選択図】        図１
2004304311.tif 000002
【特許請求の範囲】
【請求項１】
メインとサブの２つの表示手段を有し、
携帯電話機に記録されたプログラムに基づく処理を制御手段が実行することで複数の機能を実現する携帯電話機であって、
前記メイン表示手段と前記サブ表示手段とに、同一機能によって処理された表示内容を表示することを特徴とする携帯電話機。
【請求項２】
前記制御手段は、
前記複数の機能に優先順位を前記２つの表示手段毎に割り振ることで、前記２つの表示手段へ表示する表示内容を処理する機能を管理し、
前記優先順位の高い機能によって処理された表示内容から順に表示するように制御することを特徴とする請求項１記載の携帯電話機。
【請求項３】
前記サブ表示手段に表示する表示内容を処理する機能を選択可能なサブ操作入力手段を有し、
前記制御手段は、前記サブ操作入力手段により機能が選択されると、該選択された機能の前記メイン表示手段での優先順位を最高位に変更し、該選択された機能により処理された表示内容を前記メイン表示手段にも表示するように制御することを特徴とする請求項２記載の携帯電話機。
【請求項４】
前記制御手段は、
前記複数の機能毎に、前記サブ操作入力手段により選択された選択回数を計数し、該選択回数に応じて前記サブ表示手段での前記優先順位を変更するように制御することを特徴とする請求項３記載の携帯電話機。
【請求項５】
前記制御手段は、
前記複数の機能毎に、該機能によって処理された表示内容を前記サブ表示手段に表示している表示時間を計時し、該表示時間に応じて前記サブ表示手段での前記優先順位を変更するように制御することを特徴とする請求項３記載の携帯電話機。
【請求項６】
前記制御手段は、
前記複数の機能毎に、前記サブ操作入力手段により選択された選択回数を計数し、
前記サブ操作入力手段により機能の選択入力がなされると、該選択された機能を計数すると共に該選択された機能の前記サブ表示手段での優先順位を最高位に変更し、他の機能の優先順位を前記選択回数に応じて割り振るように制御することを特徴とする請求項４記載の携帯電話機。
【請求項７】
前記制御手段は、
前記複数の機能毎に、該機能によって処理された表示内容を前記サブ表示手段に表示している表示時間を計時し、
前記サブ操作入力手段により機能の選択入力がなされると、該選択された機能のサブ表示手段での優先順位を最高位に変更し、他の機能の優先順位を前記表示時間に応じて割り振るように制御することを特徴とする請求項５記載の携帯電話機。
【請求項８】
前記メイン表示手段に表示する表示内容を処理する機能を選択可能なメイン操作入力手段を有し、
前記制御手段は、
前記複数の機能毎に、前記サブ操作入力手段により選択された選択回数を計数し、
前記メイン操作入力手段により機能が選択されると、該選択された機能の前記サブ表示手段での優先順位を最高位に変更し、他の機能の優先順位を前記選択回数に応じて割り振るように制御することを特徴とする請求項４または６記載の携帯電話機。
【請求項９】
前記メイン表示手段に表示する表示内容を処理する機能を選択可能なメイン操作入力手段を有し、
前記制御手段は、
前記複数の機能毎に、該機能によって処理された表示内容を前記サブ表示手段に表示している表示時間を計時し、
前記メイン操作入力手段により機能が選択されると、該選択された機能の前記サブ表示手段での優先順位を最高位に変更し、他の機能の優先順位を前記表示時間に応じて割り振るように制御することを特徴とする請求項５または７記載の携帯電話機。
【請求項１０】
メインとサブの２つの表示手段を有し、
携帯電話機に記録されたプログラムに基づく処理を制御手段が実行することで複数の機能を実現する携帯電話機の表示制御方法であって、
前記メイン表示手段と前記サブ表示手段とに、同一機能によって処理された表示内容を表示するように制御することを特徴とする表示制御方法。
【請求項１１】
前記複数の機能に優先順位を前記２つの表示手段毎に割り振ることで、前記２つの表示手段へ表示する表示内容を処理する機能を管理し、
前記優先順位の高い機能によって処理された表示内容から順に表示するように制御することを特徴とする請求項１０記載の表示制御方法。
【請求項１２】
前記サブ表示手段に表示する表示内容を処理する機能が入力手段により選択されると、該選択された機能の前記メイン表示手段での優先順位を最高位に変更し、該選択された機能により処理された表示内容を前記メイン表示手段にも表示するように制御することを特徴とする請求項１１記載の表示制御方法。
【請求項１３】
前記複数の機能毎に、前記入力手段により選択された選択回数を計数し、該選択回数に応じて前記サブ表示手段での前記優先順位を変更するように制御することを特徴とする請求項１２記載の表示制御方法。
【請求項１４】
前記複数の機能毎に、該機能によって処理された表示内容を前記サブ表示手段に表示している表示時間を計時し、該表示時間に応じて前記サブ表示手段での前記優先順位を変更するように制御することを特徴とする請求項１２記載の表示制御方法。
【請求項１５】
前記複数の機能毎に、前記入力手段により選択された選択回数を計数し、
前記入力手段により機能の選択入力がなされると、該選択された機能を計数すると共に該選択された機能の前記サブ表示手段での優先順位を最高位に変更し、他の機能の優先順位を前記選択回数に応じて割り振るように制御することを特徴とする請求項１３記載の表示制御方法。
【請求項１６】
前記複数の機能毎に、該機能によって処理された表示内容を前記サブ表示手段に表示している表示時間を計時し、
前記入力手段により機能の選択入力がなされると、該選択された機能のサブ表示手段での優先順位を最高位に変更し、他の機能の優先順位を前記表示時間に応じて割り振るように制御することを特徴とする請求項１４記載の表示制御方法。
【請求項１７】
前記複数の機能毎に、前記サブ表示手段に表示する表示内容を処理する機能の選択回数を計数し、
前記メイン表示手段に表示する表示内容を処理する機能が選択されると、該選択された機能の前記サブ表示手段での優先順位を最高位に変更し、他の機能の優先順位を前記選択回数に応じて割り振るように制御することを特徴とする請求項１３または１５記載の表示制御方法。
【請求項１８】
前記複数の機能毎に、該機能によって処理された表示内容を前記サブ表示手段に表示している表示時間を計時し、
前記メイン表示手段に表示する表示内容を処理する機能が選択されると、該選択された機能の前記サブ表示手段での優先順位を最高位に変更し、他の機能の優先順位を前記表示時間に応じて割り振るように制御することを特徴とする請求項１４または１６記載の表示制御方法。
【請求項１９】
メインとサブの２つの表示手段を有し、
携帯電話機に記録されたプログラムに基づく処理を制御手段が実行することで複数の機能を実現する携帯電話機の表示制御プログラムであって、
前記メイン表示手段と前記サブ表示手段とに、同一機能によって処理された表示内容を表示するように制御することを特徴とする表示制御プログラム。
【請求項２０】
前記複数の機能に優先順位を前記２つの表示手段毎に割り振ることで、前記２つの表示手段へ表示する表示内容を処理する機能を管理し、
前記優先順位の高い機能によって処理された表示内容から順に表示するように制御することを特徴とする請求項１９記載の表示制御プログラム。
【請求項２１】
前記サブ表示手段に表示する表示内容を処理する機能が入力手段により選択されると、該選択された機能の前記メイン表示手段での優先順位を最高位に変更し、該選択された機能により処理された表示内容を前記メイン表示手段にも表示するように制御することを特徴とする請求項２０記載の表示制御プログラム。
【請求項２２】
前記複数の機能毎に、前記入力手段により選択された選択回数を計数し、該選択回数に応じて前記サブ表示手段での前記優先順位を変更するように制御することを特徴とする請求項２１記載の表示制御プログラム。
【請求項２３】
前記複数の機能毎に、該機能によって処理された表示内容を前記サブ表示手段に表示している表示時間を計時し、該表示時間に応じて前記サブ表示手段での前記優先順位を変更するように制御することを特徴とする請求項２１記載の表示制御プログラム。
【請求項２４】
前記複数の機能毎に、前記入力手段により選択された選択回数を計数し、
前記入力手段により機能の選択入力がなされると、該選択された機能を計数すると共に該選択された機能の前記サブ表示手段での優先順位を最高位に変更し、他の機能の優先順位を前記選択回数に応じて割り振るように制御することを特徴とする請求項２２記載の表示制御プログラム。
【請求項２５】
前記複数の機能毎に、該機能によって処理された表示内容を前記サブ表示手段に表示している表示時間を計時し、
前記入力手段により機能の選択入力がなされると、該選択された機能のサブ表示手段での優先順位を最高位に変更し、他の機能の優先順位を前記表示時間に応じて割り振るように制御することを特徴とする請求項２３記載の表示制御プログラム。
【請求項２６】
前記複数の機能毎に、前記サブ表示手段に表示する表示内容を処理する機能の選択回数を計数し、
前記メイン表示手段に表示する表示内容を処理する機能が選択されると、該選択された機能の前記サブ表示手段での優先順位を最高位に変更し、他の機能の優先順位を前記選択回数に応じて割り振るように制御することを特徴とする請求項２２または２４記載の表示制御プログラム。
【請求項２７】
前記複数の機能毎に、該機能によって処理された表示内容を前記サブ表示手段に表示している表示時間を計時し、
前記メイン表示手段に表示する表示内容を処理する機能が選択されると、該選択された機能の前記サブ表示手段での優先順位を最高位に変更し、他の機能の優先順位を前記表示時間に応じて割り振るように制御することを特徴とする請求項２３または２５記載の表示制御プログラム。
【発明の詳細な説明】
【０００１】
【発明の属する技術分野】
本発明は、メイン表示部とサブ表示部の２つの表示部を有する携帯電話機、その表示制御方法及びプログラムに関する。
【０００２】
【従来の技術】
折り畳み式の携帯電話機が普及するに従い、メイン表示部とサブ表示部の２つの表示部をもつ携帯電話機が一般的になりつつある。サブ表示部は、基本的に時刻やメール等の着信通知等の限られた情報を表示しているが、サブ表示部のカラー化や大型化に伴い、他の多くの情報を表示可能となってきている。
【０００３】
メイン表示部とサブ表示部の表示内容に関連性を持たせた技術を開示している発明として以下に示す特許文献１に開示された発明が知られている。
この特許文献１に開示された技術は、携帯電話装置が閉状態であって、着信に対して着信応答がない場合に、サブ表示部に着信日時や相手の電話番号を表示する。携帯電話装置が開かれたならばサブ表示部に表示していた電話番号等の情報をメイン表示部に表示する。また、携帯電話装置が閉状態であって、電子メールを受信した場合に、発信者の名前等の情報をサブ表示部に表示する。携帯電話装置が開かれたならばサブ表示部に表示していた情報及び電子メールの本文等の情報をメイン表示部に表示するものである。
【０００４】
【特許文献１】
特開２００２−２８１１３１号公報
【０００５】
【発明が解決しようとする課題】
サブ表示部のカラー化や大型化に伴いサブ表示部を利用する場面が増加するものと考えられるが、携帯電話機の多機能化に伴いサブ表示部に表示する表示候補も多岐に渡ることが考えられる。
【０００６】
本発明は上記事情に鑑みてなされたものであり、サブ表示部とメイン表示部の表示内容を連動させ、サブ表示部をより有効に活用することが可能となる携帯電話機、その表示制御方法及びプログラムを提供することを目的とする。
【０００７】
【課題を解決するための手段】
係る目的を達成するために請求項１記載の発明は、メインとサブの２つの表示手段を有し、携帯電話機に記録されたプログラムに基づく処理を制御手段が実行することで複数の機能を実現する携帯電話機であって、メイン表示手段とサブ表示手段とに、同一機能によって処理された表示内容を表示することを特徴とする。
【０００８】
請求項２記載の発明は、請求項１記載の発明において、制御手段は、複数の機能に優先順位を２つの表示手段毎に割り振ることで、２つの表示手段へ表示する表示内容を処理する機能を管理し、優先順位の高い機能によって処理された表示内容から順に表示するように制御することを特徴とする。
【０００９】
請求項３記載の発明は、請求項２記載の発明において、サブ表示手段に表示する表示内容を処理する機能を選択可能なサブ操作入力手段を有し、制御手段は、サブ操作入力手段により機能が選択されると、該選択された機能のメイン表示手段での優先順位を最高位に変更し、該選択された機能により処理された表示内容をメイン表示手段にも表示するように制御することを特徴とする。
【００１０】
請求項４記載の発明は、請求項３記載の発明において、制御手段は、複数の機能毎に、サブ操作入力手段により選択された選択回数を計数し、該選択回数に応じてサブ表示手段での優先順位を変更するように制御することを特徴とする。
【００１１】
請求項５記載の発明は、請求項３記載の発明において、制御手段は、複数の機能毎に、該機能によって処理された表示内容をサブ表示手段に表示している表示時間を計時し、該表示時間に応じてサブ表示手段での優先順位を変更するように制御することを特徴とする。
【００１２】
請求項６記載の発明は、請求項４記載の発明において、制御手段は、複数の機能毎に、サブ操作入力手段により選択された選択回数を計数し、サブ操作入力手段により機能の選択入力がなされると、該選択された機能を計数すると共に該選択された機能のサブ表示手段での優先順位を最高位に変更し、他の機能の優先順位を選択回数に応じて割り振るように制御することを特徴とする。
【００１３】
請求項７記載の発明は、請求項５記載の発明において、制御手段は、複数の機能毎に、該機能によって処理された表示内容をサブ表示手段に表示している表示時間を計時し、サブ操作入力手段により機能の選択入力がなされると、該選択された機能のサブ表示手段での優先順位を最高位に変更し、他の機能の優先順位を表示時間に応じて割り振るように制御することを特徴とする。
【００１４】
請求項８記載の発明は、請求項４または６記載の発明において、メイン表示手段に表示する表示内容を処理する機能を選択可能なメイン操作入力手段を有し、制御手段は、複数の機能毎に、サブ操作入力手段により選択された選択回数を計数し、メイン操作入力手段により機能が選択されると、該選択された機能のサブ表示手段での優先順位を最高位に変更し、他の機能の優先順位を選択回数に応じて割り振るように制御することを特徴とする。
【００１５】
請求項９記載の発明は、請求項５または７記載の発明において、メイン表示手段に表示する表示内容を処理する機能を選択可能なメイン操作入力手段を有し、制御手段は、複数の機能毎に、該機能によって処理された表示内容をサブ表示手段に表示している表示時間を計時し、メイン操作入力手段により機能が選択されると、該選択された機能のサブ表示手段での優先順位を最高位に変更し、他の機能の優先順位を表示時間に応じて割り振るように制御することを特徴とする。
【００１６】
請求項１０記載の発明は、メインとサブの２つの表示手段を有し、携帯電話機に記録されたプログラムに基づく処理を制御手段が実行することで複数の機能を実現する携帯電話機の表示制御方法であって、メイン表示手段とサブ表示手段とに、同一機能によって処理された表示内容を表示するように制御することを特徴とする。
【００１７】
請求項１１記載の発明は、請求項１０記載の発明において、複数の機能に優先順位を２つの表示手段毎に割り振ることで、２つの表示手段へ表示する表示内容を処理する機能を管理し、優先順位の高い機能によって処理された表示内容から順に表示するように制御することを特徴とする。
【００１８】
請求項１２記載の発明は、請求項１１記載の発明において、サブ表示手段に表示する表示内容を処理する機能が入力手段により選択されると、該選択された機能のメイン表示手段での優先順位を最高位に変更し、該選択された機能により処理された表示内容をメイン表示手段にも表示するように制御することを特徴とする。
【００１９】
請求項１３記載の発明は、請求項１２記載の発明において、複数の機能毎に、入力手段により選択された選択回数を計数し、該選択回数に応じてサブ表示手段での優先順位を変更するように制御することを特徴とする。
【００２０】
請求項１４記載の発明は、請求項１２記載の発明において、複数の機能毎に、該機能によって処理された表示内容をサブ表示手段に表示している表示時間を計時し、該表示時間に応じてサブ表示手段での優先順位を変更するように制御することを特徴とする。
【００２１】
請求項１５記載の発明は、請求項１３記載の発明において、複数の機能毎に、入力手段により選択された選択回数を計数し、入力手段により機能の選択入力がなされると、該選択された機能を計数すると共に該選択された機能のサブ表示手段での優先順位を最高位に変更し、他の機能の優先順位を選択回数に応じて割り振るように制御することを特徴とする。
【００２２】
請求項１６記載の発明は、請求項１４記載の発明において、複数の機能毎に、該機能によって処理された表示内容をサブ表示手段に表示している表示時間を計時し、入力手段により機能の選択入力がなされると、該選択された機能のサブ表示手段での優先順位を最高位に変更し、他の機能の優先順位を表示時間に応じて割り振るように制御することを特徴とする。
【００２３】
請求項１７記載の発明は、請求項１３または１５記載の発明において、複数の機能毎に、サブ表示手段に表示する表示内容を処理する機能の選択回数を計数し、メイン表示手段に表示する表示内容を処理する機能が選択されると、該選択された機能のサブ表示手段での優先順位を最高位に変更し、他の機能の優先順位を選択回数に応じて割り振るように制御することを特徴とする。
【００２４】
請求項１８記載の発明は、請求項１４または１６記載の発明において、複数の機能毎に、該機能によって処理された表示内容をサブ表示手段に表示している表示時間を計時し、メイン表示手段に表示する表示内容を処理する機能が選択されると、該選択された機能のサブ表示手段での優先順位を最高位に変更し、他の機能の優先順位を表示時間に応じて割り振るように制御することを特徴とする。
【００２５】
請求項１９記載の発明は、メインとサブの２つの表示手段を有し、携帯電話機に記録されたプログラムに基づく処理を制御手段が実行することで複数の機能を実現する携帯電話機の表示制御プログラムであって、メイン表示手段とサブ表示手段とに、同一機能によって処理された表示内容を表示するように制御することを特徴とする。
【００２６】
請求項２０記載の発明は、請求項１９記載の発明において、複数の機能に優先順位を２つの表示手段毎に割り振ることで、２つの表示手段へ表示する表示内容を処理する機能を管理し、優先順位の高い機能によって処理された表示内容から順に表示するように制御することを特徴とする。
【００２７】
請求項２１記載の発明は、請求項２０記載の発明において、サブ表示手段に表示する表示内容を処理する機能が入力手段により選択されると、該選択された機能のメイン表示手段での優先順位を最高位に変更し、該選択された機能により処理された表示内容をメイン表示手段にも表示するように制御することを特徴とする。
【００２８】
請求項２２記載の発明は、請求項２１記載の発明において、複数の機能毎に、入力手段により選択された選択回数を計数し、該選択回数に応じてサブ表示手段での優先順位を変更するように制御することを特徴とする。
【００２９】
請求項２３記載の発明は、請求項２１記載の発明において、複数の機能毎に、該機能によって処理された表示内容をサブ表示手段に表示している表示時間を計時し、該表示時間に応じてサブ表示手段での優先順位を変更するように制御することを特徴とする。
【００３０】
請求項２４記載の発明は、請求項２２記載の発明において、複数の機能毎に、入力手段により選択された選択回数を計数し、入力手段により機能の選択入力がなされると、該選択された機能を計数すると共に該選択された機能のサブ表示手段での優先順位を最高位に変更し、他の機能の優先順位を選択回数に応じて割り振るように制御することを特徴とする。
【００３１】
請求項２５記載の発明は、請求項２３記載の発明において、複数の機能毎に、該機能によって処理された表示内容をサブ表示手段に表示している表示時間を計時し、入力手段により機能の選択入力がなされると、該選択された機能のサブ表示手段での優先順位を最高位に変更し、他の機能の優先順位を表示時間に応じて割り振るように制御することを特徴とする。
【００３２】
請求項２６記載の発明は、請求項２２または２４記載の発明において、複数の機能毎に、サブ表示手段に表示する表示内容を処理する機能の選択回数を計数し、メイン表示手段に表示する表示内容を処理する機能が選択されると、該選択された機能のサブ表示手段での優先順位を最高位に変更し、他の機能の優先順位を選択回数に応じて割り振るように制御することを特徴とする。
【００３３】
請求項２７記載の発明は、請求項２３または２５記載の発明において、複数の機能毎に、該機能によって処理された表示内容をサブ表示手段に表示している表示時間を計時し、メイン表示手段に表示する表示内容を処理する機能が選択されると、該選択された機能のサブ表示手段での優先順位を最高位に変更し、他の機能の優先順位を表示時間に応じて割り振るように制御することを特徴とする。
【００３４】
【発明の実施の形態】
次に添付図面を参照しながら本発明の携帯電話機、その表示制御方法及びプログラムに係る実施の形態を詳細に説明する。図１〜図６を参照すると本発明の携帯電話機、その表示制御方法及びプログラムに係る実施の形態が示されている。
【００３５】
まず、図１を参照しながら本実施形態の構成について説明する。図１に示されるように本実施形態は、装置の動作を制御する制御部１１と、各タスクの主な画像や情報等を表示するメイン表示部１２と、メイン表示部１２に対し補助的な表示部であるサブ表示部１３と、ユーザがサブ表示部１３を見ながらの端末操作を受け付ける操作部Ｂ１４と、ユーザがメイン表示部１２を見ながらの端末操作を受け付ける操作部Ａ１５と、情報を保持するメモリ１６とを具備する。
【００３６】
図２に折り畳み機構を持った携帯電話機の外観を示す。表面にメイン表示部１２と操作部Ａ１５を配し、折り畳むことによりこれらが向かい合わせに重なる。裏面にはサブ表示部１３と操作部Ｂ１４を配し、折り畳み時に目視可能な表示部、操作可能な操作部となる。
【００３７】
上記構成を具備する本実施形態は、メインとサブの２つの表示部を持ち、複数の機能（タスク）を同時に起動・動作可能なマルチタスクに対応した携帯電話機である。このような携帯電話機において、メイン表示部に出力するタスクの優先順位とサブ表示部に出力するタスクの優先順位を設け、それぞれの最高優先順位タスクを連動させ、そのタスクを両表示部に出力する手段と、サブ表示部の優先順位をそれぞれのタスクの表示頻度を用いて決定する手段と、サブ表示部近辺に設けた操作部の入力により表示頻度の高いタスクから順にサブ表示部の表示切替を行ない、同時にメイン表示部への出力タスクを連動させる手段と、を有することを特徴としている。なお、タスクとは、メモリ１６に記録されたプログラムに従って制御部１１が処理を行なうことで実現される携帯電話機の機能をいう。
【００３８】
メイン表示部１２及びサブ表示部１３に出力するデータを決定する手順を図３を参照しながら説明する。
本制御は、操作部（操作部Ａ１５、操作部Ｂ１４）による入力、または携帯電話機のイベント（着信、メール受信等）発生により開始する（ステップＳ１０１）。マルチタスクでは複数のタスクが起動されるため、各タスクに優先順位が付けられている。制御部１１は前回終了時にメモリ１６に記録したタスクの優先順位をメモリ１６より読み込む（ステップＳ１０２）。ここで、表示部に表示させる処理を行なうタスクの優先順位を、メイン表示部１２とサブ表示部１３とで別々に持たせ、メイン表示部１２に表示を行なうタスクの優先順位を高い順にＭ１，Ｍ２，Ｍ３，Ｍ４・・・、サブ表示部１３に表示を行なうタスクの優先順位を高い順にＳ１，Ｓ２，Ｓ３，Ｓ４・・・とする。また、サブ表示部１３には優先順位の他に表示頻度を設け、操作部Ｂ１４によるタスク切替入力で表示した頻度が高い順にＵ１，Ｕ２，Ｕ３，Ｕ４・・・とする。
【００３９】
次に、制御部１１は制御開始がイベント発生（着信、メール受信等）であった場合には（ステップＳ１０３／ＹＥＳ）、メモリ１６から読み込んだタスクの優先順位からタスクの優先順位を再計算する（ステップＳ１０４）。イベント発生したタスクの優先順位はそれぞれ異なり、タスクに応じた優先順位を割り振る（ステップＳ１０４）。例えば、メール受信、着信のイベントが発生した場合には、メールの送信元、発信者をサブ表示部１３に表示するように、メーラ、ＴＥＬのタスクを最優先のタスクに変更する。
【００４０】
次に、サブ表示部１３の表示を切り換え可能な操作部Ｂ１４によるタスク切替の入力があった場合（ステップＳ１０５／ＹＥＳ）、以下に示すルールＢ−１の規則に従い、タスクの優先順位の入替を行なう（ステップＳ１０６）。なお、以下では説明を簡略化するために、例として４つのタスク｛Ａ（メーラ）、Ｂ（ブラウザ）、Ｃ（Ｊａｖａ）、Ｄ（ＴＥＬ）｝が起動状態で、メイン表示部１２の優先順位をＭ１：Ａ（メーラ）、Ｍ２：Ｂ（ブラウザ）、Ｍ３：Ｃ（Ｊａｖａ）、Ｍ４：Ｄ（ＴＥＬ）、サブ表示部１３の優先順位をＳ１：Ａ（メーラ）、Ｓ２：Ｃ（Ｊａｖａ）、Ｓ３：Ｂ（ブラウザ）、Ｓ４：Ｄ（ＴＥＬ）、表示頻度をＵ１：Ｃ（Ｊａｖａ）、Ｕ２：Ａ（メーラ）、Ｕ３：Ｂ（ブラウザ）、Ｕ４：Ｄ（ＴＥＬ）とする。操作部Ｂ１４の一回の入力によりサブ表示部１３の優先順位は、Ｓ１にあったタスクを最下位のタスクに移動させ（Ｓ１：Ａ→Ｓ４：Ａ）、他のタスクの順位を一つずつ上げる（Ｓ２：Ｃ→Ｓ１：Ｃ、Ｓ３：Ｂ→Ｓ２：Ｂ、Ｓ４：Ｄ→Ｓ３：Ｄ）。Ｓ１にあったタスクを最下位に移動させるのは、Ｓ１にあったタスクは操作部Ｂ１４の入力前に表示していたタスクであるため。一方、メイン表示部１２の優先順位は、サブ表示部１３の優先順位でＳ１となったＣ（Ｊａｖａ）タスクをＭ１に移動させ（Ｍ３：Ｃ→Ｍ１：Ｃ）、Ｃ（Ｊａｖａ）タスクの順位であったＭ３を詰めるように他のタスクを上から一つずつ下げる（Ｍ２：Ｂ→Ｍ３：Ｂ、Ｍ１：Ａ→Ｍ２：Ａ）。このルールにより必ず優先順位の最も高いＭ１とＳ１は同じタスクとなる（以上をルールＢ−１という）。
【００４１】
操作部Ｂ１４の連続入力があった場合、上記ルールＢ−１の優先順位の入替を繰り返す。また、タスク切替の入力が操作部Ｂ１４ではなく、メイン表示部１２に依存する操作部Ａ１５による入力であった場合（ステップＳ１０７／ＹＥＳ）、以下に示すルールＡの規則に従い、タスクの優先順位の入替を行なう（ステップＳ１０８）。
【００４２】
ルールＡについて図５を参照しながら説明する。なお、起動しているタスク、タスクの優先順位、表示頻度等の初期状態は上述したルールＢ−１の説明の時と同様とする。操作部Ａ１５の１回の入力によりメイン表示部１２の優先順位は、Ｍ１にあったタスクを最下位に移動させ（Ｍ１：Ａ→Ｍ４：Ａ）、他のタスクの優先順位を１つずつ上げる（Ｍ２：Ｂ→Ｍ１：Ｂ，Ｍ３：Ｃ→Ｍ２：Ｃ，Ｍ４：Ｄ→Ｍ３：Ｄ）。また、サブ表示部１３の優先順位は、メイン表示部１２の優先順位でＭ１となったＢ（ブラウザ）タスクをＳ１とする（Ｓ３：Ｂ→Ｓ１：Ｂ）。Ｓ２以下のタスクの優先順位は、表示頻度の高いものから順に優先順位を上から割り当てていく（Ｓ２：Ｃ［Ｕ１］→Ｓ２：Ｃ［Ｕ１］、Ｓ１：Ａ［Ｕ２］→Ｓ３：Ａ［Ｕ２］、Ｓ４：Ｄ［Ｕ４］→：Ｓ４：Ｄ［Ｕ４］）。このルールにおいても必ず優先順位の最も高いＭ１とＳ１は同じタスクとなる（以上、ルールＡという）。
【００４３】
また、操作部Ｂ１４の入力から一定時間Ｔ［ｓ］（例えば２０［ｓ］）内に次の操作部Ｂ１４からの入力がない場合には（ステップＳ１０９／ＹＥＳ）、以下に示すルールＢ−２を適用しサブ表示部１３の優先順位を確定する。ルールＢ−２について図６に示されたフローチャート、及び図４を参照しながら説明する。ルールＢ−２はメイン表示部１２の優先順位には一切変更を加えず、サブ表示部１３の優先順位だけを変更する。まず、サブ表示部１３のＳ１タスクは変更せず、Ｓ２以下のタスクにおいて表示頻度の高いものから順に優先順位を上から割り当てていく。
表示頻度を決定する変数として、各タスクに変数ｕ（整数）を持たせ、ルールＢ−２を適用した時点においてタスクＳ１に存在するタスクの変数ｕを１増加させる（ステップＳ２０１）。この変数ｕを用いて、起動しているタスクの変数ｕが大きいものから順に表示頻度の高いＵ１，Ｕ２，Ｕ３・・・と割り振る（ステップＳ２０２）。次に、サブ表示部１３のＳ１のタスクは変更せず、Ｓ２以下のタスクにおいて表示頻度の高いものから順に優先順位を上から割り当てていく（Ｓ４：Ａ［Ｕ２］→Ｓ２：Ａ［Ｕ２］、Ｓ２：Ｂ［Ｕ３］→Ｓ３：Ｂ［Ｕ３］、Ｓ３：Ｄ［Ｕ４］→Ｓ４：Ｄ［Ｕ４］）（ステップＳ２０３）。以上の手順によりサブ表示部１３の優先順位を確定させる。
【００４４】
上記のルールＡ、Ｂ−１、Ｂ−２によって変更を加えられた優先順位を、メモリ１６に書き込み（ステップＳ２０４）、メイン表示部１２にＭ１タスクによる表示内容を表示し、サブ表示部１３にＳ１タスクによる表示内容を表示する（ステップＳ２０５）。
【００４５】
このように本実施形態は、メイン表示部１２に表示を行なうタスクとサブ表示部１３に表示を行なうタスクを同一のものを選択することで、メイン表示部１２とサブ表示部１３の表示内容を常に連動させることができる。従って、メイン表示部で表示しているタスクがサブ表示部を利用することが可能となり、端末の開閉状態に関わらず、サブ表示部を有効に活用することが可能となる。
【００４６】
また、サブ表示部近辺に備えられた操作部Ｂ１４の入力で、表示頻度の高いタスクから順にサブ表示部に出力・表示することが可能となり、ユーザの求めている確率の高い候補のタスクによる表示を素早く表示することができる。
【００４７】
さらに、操作部Ｂ１４で切替えた、サブ表示部に表示を行なうタスクをメイン表示部への表示を行なうタスクと連動させることにより、サブ表示部で確認後、同表示内容の詳細をメイン表示部１２においてすぐ確認するといった利用が可能となる。
【００４８】
また、本制御のサブ表示部優先順位決定ルールは、メイン表示部の優先順位決定ルールへの依存性が少ないため、他のメイン表示部の優先順位決定ルールにおいても併用可能となり、汎用性が高い。
【００４９】
なお、上述した実施形態は本発明の好適な実施の形態である。但し、これに限定されるものではなく、本発明の要旨を逸脱しない範囲内において種々変形実施可能である。例えば、上述した実施形態では、サブ表示部１３の表示頻度の算出方法に、切替確定時に最高順位タスクになった回数を用いて、回数の多いものから順に表示頻度の高いＵ１，Ｕ２，Ｕ３・・・と割り当てているが、サブ表示部に表示している時間を各タスクにおいて保持させ、表示時間が長いタスクから順に表示頻度の高いＵ１，Ｕ２，Ｕ３・・・と割り当てる方法も考えられる。その場合、表示時間をただ加えていくと非常に大きな値となることから、一定期間ごとに表示時間を再設定する。その方法は、前回設定時の初期表示時間を保持し、再設定時、現在の表示時間から前回の初期表示時間を引いた差を表示時間として再設定する（初期表示時間）。すなわち前回設定時から増加した時間が初期表示時間となる。この初期表示時間に表示中の時間を加算し始め、表示頻度を判断する表示時間とする。表示頻度の算出で表示時間を用いることにより、普段表示しているタスクを優先順位の上位にもってくることが可能となる。
【００５０】
また、上述した説明では、ルールＢ−１におけるメイン表示部１２の優先順位をＭ１に移動したタスクの穴を埋める形で、他のタスクを上から一つずつ下げるとしている。しかしながらこの動作は一例であり、複数のタスク中からＳ１（サブ表示部の最高順位）に選ばれたタスクをメイン表示部においてＭ１（メイン表示部の最高順位）に選択した時のメイン表示部の優先順位決定ルールに依存する。よってＭ１であったタスクをＭ４（優先順位最下位）に移動させ、Ｍ１に移動したタスクの穴を埋める形で他のタスクを下から一つずつ上げる手法をとってもよい。
【００５１】
なお、本発明の表示制御プログラムに係る実施の形態は、図３、及び図６に示された手順に従って制御するプログラムを図１に示された携帯電話機に格納し、制御部１１がこのプログラムに従って各部を制御することで実現される。
【００５２】
【発明の効果】
以上の説明より明らかなように本発明は、メイン表示手段に表示を行なう機能と、サブ表示手段に表示を行なう機能とに同一の機能を選択することで、メイン表示手段とサブ表示手段の表示内容を常に連動させることができる。従って、メイン表示手段で表示している機能がサブ表示手段を利用することが可能となり、携帯電話機の開閉状態に関わらず、サブ表示手段を有効に活用することができる。
【００５３】
また、複数の機能に優先順位を２つの表示手段毎に割り振ることで機能を管理することで、ユーザの求めている確立の高い表示候補を素早く表示させることができる。
【００５４】
また、サブ操作入力手段により機能が選択されると、選択された機能のメイン表示手段での優先順位を最高位に変更し、選択された機能により処理された表示内容をメイン表示手段にも表示するようにしたことにより、サブ表示手段で表示内容を確認後、同表示の詳細をメイン表示手段においてすぐに確認するといった利用が可能となる。
【００５５】
また、サブ操作入力手段により機能の選択入力がなされると、選択された機能を計数すると共にこの選択された機能のサブ表示手段での優先順位を最高位に変更し、他の機能の優先順位を過去の選択回数に応じて割り振るようにしたことで、サブ表示手段に表示処理を行なう機能を、表示頻度の高い機能とすることが可能となり、ユーザの求めている確立の高い候補を素早く表示させることができる。
【００５６】
また、サブ操作入力手段により機能の選択入力がなされると、選択された機能のサブ表示手段での優先順位を最高位に変更し、他の機能の優先順位を過去の表示時間に応じて割り振るようにしたことで、サブ表示手段に表示処理を行なう機能を、表示頻度の高い機能とすることが可能となり、ユーザの求めている確立の高い候補を素早く表示させることができる。
【００５７】
また、サブ表示手段の表示優先順位決定ルールを、メイン表示手段の優先順位決定ルールからできるだけ独立させたことにより、メイン表示手段の他の優先順位決定ルールにおいても併用可能となり、汎用性を高めることができる。
【図面の簡単な説明】
【図１】本発明に係る実施形態の構成を示すブロック図である。
【図２】携帯電話機の外観形状を示す図である。
【図３】動作手順を示すフローチャートである。
【図４】メイン表示部とサブ表示部に表示される表示の一例である。
【図５】メイン表示部とサブ表示部に表示される表示の一例である。
【図６】動作手順を示すフローチャートである。
【符号の説明】
１１  制御部
１２  メイン表示部
１３  サブ表示部
１４  操作部Ｂ
１５  操作部Ａ
１６  メモリ
【図１】
2004304311.tif 000003
【図２】
2004304311.tif 000004
【図３】
2004304311.tif 000005
【図４】
2004304311.tif 000006
【図５】
2004304311.tif 000007
【図６】
2004304311.tif 000008